(57)【要約】【課題】装置本体に対するＡＣアダプタの適合性をチェックして、ＡＣアダプタの使用可否を判定することが可能なＡＣアダプタ使用可否判定回路を提供する。【解決手段】ＡＣアダプタの電源出力端子と装置本体の電源入力端子との間に接続するＡＣアダプタ使用可否判定回路であって、装置本体の定格電力と同じ電力を消費する擬似負荷部３を備え、電圧測定部１と電流測定部２とにおいて、擬似負荷部３にＡＣアダプタによって印加される電圧値とＡＣアダプタから流れる電流値とを測定して、あらかじめ保持している電圧判定値と電流判定値との範囲内にあるか否かを判定した結果に基づいて、判定部１４において、ＡＣアダプタを装置本体に使用することの可否を判定し、第１切替部１１、第２切替部１２を制御して、ＡＣアダプタを装置本体に接続するか、または、ＡＣアダプタの接続を切断する。【選択図】        図１
2018142069.tif 000002
【特許請求の範囲】
【請求項１】
装置本体に対する電源供給用のＡＣアダプタを該装置本体に接続しようとする際に、該ＡＣアダプタの電源出力端子と前記装置本体の電源入力端子との間に接続されて、該ＡＣアダプタの使用可否を判定するＡＣアダプタ使用可否判定回路であって、
前記装置本体へ供給されるべき定格電圧が印加されたとき、前記装置本体の定格電力と同じ電力を消費する擬似負荷部
を備え、かつ、
前記擬似負荷部に前記ＡＣアダプタによって印加される電圧値を測定して、あらかじめ保持している電圧判定値の範囲内にあるか否かの判定結果を出力する電圧測定手段と、
前記擬似負荷部に前記ＡＣアダプタから流れる電流値を測定して、あらかじめ保持している電流判定値の範囲内にあるか否かの判定結果を出力する電流測定手段と、
前記ＡＣアダプタとの間の接続の開閉を行う第１切替手段と、
前記ＡＣアダプタの電源出力端子を、前記擬似負荷部と前記装置本体の電源入力端子とのいずれかに切り替えて接続する第２切替手段と、
前記電圧測定手段と前記電流測定手段との判定結果に基づいて、前記ＡＣアダプタの使用の可否を判定し、前記第１切替手段および前記第２切替手段を制御する判定手段と
を有することを特徴とするＡＣアダプタ使用可否判定回路。
【請求項２】
前記擬似負荷部の消費電力値を外部から変更することが可能な変更手段と、
前記判定手段による前記ＡＣアダプタの使用の可否の判定結果を表示する表示手段と
をさらに追加して有することを特徴とする請求項１に記載のＡＣアダプタ使用可否判定回路。
【請求項３】
前記判定手段は、前記電圧測定手段と前記電流測定手段との判定結果として、測定した電圧値が前記電圧判定値の範囲内であり、且つ、測定した電流値が前記電流判定値の範囲内であった場合には、前記第１切替手段および前記第２切替手段を制御して、前記ＡＣアダプタの電源出力端子を前記装置本体の電源入力端子に接続し、
測定した電圧値が前記電圧判定値の範囲外にあるか、または、測定した電流値が前記電流判定値の範囲外にあるか、の少なくともいずれかであった場合には、前記第１切替手段を開放状態に設定するように制御して、前記ＡＣアダプタの電源出力端子との接続を切断する
ことを特徴とする請求項１または２に記載のＡＣアダプタ使用可否判定回路。
【請求項４】
前記電圧判定値として、前記装置本体に供給予定の本来のＡＣアダプタの定格出力電圧をあらかじめ保持し、
前記電流判定値として、前記装置本体に供給予定の本来のＡＣアダプタの定格出力電圧をあらかじめ保持する
ことを特徴とする請求項１ないし３のいずれかに記載のＡＣアダプタ使用可否判定回路。
【請求項５】
前記電圧測定手段は、測定した電圧値が、前記電圧判定値と同じ値であった場合に、前記電圧判定値の範囲内であるとの判定結果を出力し、
前記電流測定手段は、測定した電流値が、前記電流判定値以上の値であった場合には、前記電流判定値の範囲内であるとの判定結果を出力する
ことを特徴とする請求項１ないし４のいずれかに記載のＡＣアダプタ使用可否判定回路。
【請求項６】
前記装置本体内に内蔵されて、前記ＡＣアダプタとケーブル接続される内蔵タイプの回路、または、前記装置本体および前記ＡＣアダプタとは独立して、前記装置本体および前記ＡＣアダプタの双方とケーブル接続される外付けタイプの回路、のいずれかから構成される
ことを特徴とする請求項１ないし５のいずれかに記載のＡＣアダプタ使用可否判定回路。
【請求項７】
装置本体に対する電源供給用のＡＣアダプタを該装置本体に接続しようとする際に、該ＡＣアダプタの電源出力端子と前記装置本体の電源入力端子との間に接続されて、該ＡＣアダプタの使用可否を判定するＡＣアダプタ使用可否判定器であって、
前記装置本体へ供給されるべき定格電圧が印加されたとき、前記装置本体の定格電力と同じ電力を消費する擬似負荷部
を備え、かつ、
前記擬似負荷部に前記ＡＣアダプタによって印加される電圧値を測定して、あらかじめ保持している電圧判定値の範囲内にあるか否かの判定結果を出力する電圧測定手段と、
前記擬似負荷部に前記ＡＣアダプタから流れる電流値を測定して、あらかじめ保持している電流判定値の範囲内にあるか否かの判定結果を出力する電流測定手段と、
前記ＡＣアダプタとの間の接続の開閉を行う第１切替手段と、
前記ＡＣアダプタの電源出力端子を、前記擬似負荷部と前記装置本体の電源入力端子とのいずれかに切り替えて接続する第２切替手段と、
前記電圧測定手段と前記電流測定手段との判定結果に基づいて、前記ＡＣアダプタの使用の可否を判定し、前記第１切替手段および前記第２切替手段を制御する判定手段と、
前記擬似負荷部の消費電力値を外部から変更することが可能な変更手段と、
前記判定手段による前記ＡＣアダプタの使用の可否の判定結果を表示する表示手段と
を有することを特徴とするＡＣアダプタ使用可否判定器。
【請求項８】
装置本体に対する電源供給用のＡＣアダプタを該装置本体に接続しようとする際に、該ＡＣアダプタの使用可否を判定するＡＣアダプタ使用可否判定方法であって、
前記装置本体へ供給されるべき定格電圧が印加されたとき、前記装置本体の定格電力と同じ電力を消費する擬似負荷部
を有し、かつ、
前記擬似負荷部に前記ＡＣアダプタによって印加される電圧値を測定して、あらかじめ保持している電圧判定値の範囲内にあるか否かの判定結果を出力する電圧測定ステップと、
前記擬似負荷部に前記ＡＣアダプタから流れる電流値を測定して、あらかじめ保持している電流判定値の範囲内にあるか否かの判定結果を出力する電流測定ステップと、
前記ＡＣアダプタとの間の接続の開閉を行う第１切替ステップと、
前記ＡＣアダプタの電源出力端子を、前記擬似負荷部と前記装置本体の電源入力端子とのいずれかに切り替えて接続する第２切替ステップと、
前記電圧測定ステップと前記電流測定ステップとの判定結果に基づいて、前記ＡＣアダプタの使用の可否を判定し、前記第１切替ステップおよび前記第２切替ステップの動作を制御する判定ステップと
を有することを特徴とするＡＣアダプタ使用可否判定方法。
【請求項９】
前記擬似負荷部の消費電力値を外部から変更することが可能な変更ステップと、
前記判定ステップによる前記ＡＣアダプタの使用の可否の判定結果を表示する表示ステップと
をさらに追加して有していることを特徴とする請求項８に記載のＡＣアダプタ使用可否判定方法。
【請求項１０】
前記判定手ステップは、前記電圧測定ステップと前記電流測定ステップとの判定結果として、測定した電圧値が前記電圧判定値の範囲内であり、且つ、測定した電流値が前記電流判定値の範囲内であった場合には、前記第１切替ステップおよび前記第２切替ステップの動作を制御して、前記ＡＣアダプタの電源出力端子を前記装置本体の電源入力端子に接続し、
測定した電圧値が前記電圧判定値の範囲外にあるか、または、測定した電流値が前記電流判定値の範囲外にあるか、の少なくともいずれかであった場合には、前記第１切替ステップの動作を制御して、前記ＡＣアダプタの電源出力端子との接続を切断する
ことを特徴とする請求項８または９に記載のＡＣアダプタ使用可否判定方法。
【発明の詳細な説明】
【技術分野】
【０００１】
本発明は、ＡＣアダプタ使用可否判定回路、ＡＣアダプタ使用可否判定器およびＡＣアダプタ使用可否判定方法に関する。ＡＣアダプタは、主として商用の交流電力を入力し、その交流電力を直流電力に変換して、装置本体に供給する電力変換手段として広く用いられている。ＡＣアダプタには、交流電力を受け、電圧を変換した交流電力を出力するものもある。ＡＣアダプタから電力を受ける装置本体としては、例えば、携帯電話、携帯音楽プレーヤー、携帯型ゲーム機、ノートパソコン等がある。
【背景技術】
【０００２】
小型の通信装置や家庭電化製品等に分野においては、装置本体とＡＣアダプタとがコネクタで接続される構造となっていて、装置本体とＡＣアダプタとの接続および分離が可能なとなっているものが多い。そのＡＣアダプタには様々な定格電圧および定格電流のものが存在している。
【０００３】
また、装置本体とＡＣアダプタとを接続するコネクタについては、ＪＥＩＴＡ  ＲＣ−５３２０Ａ規格に準拠したものを使用するのが一般的である。ＪＥＩＴＡ  ＲＣ−５３２０Ａ規格においては、電圧毎にコネクタ形状が規定されているが、定格電流値は電圧によらず２Ａとなっている。一方、ＡＣアダプタは、使用される装置本体に合わせた設計、および、選択がなされているので、前述のように、様々な定格出力電圧、および、定格出力電流のものが存在している。このため、装置本体とＡＣアダプタとは、正しい組み合わせを選択して接続することが必要である。
【０００４】
しかし、装置本体とＡＣアダプタとに一般的に採用されているＪＥＩＴＡ  ＲＣ−５３２０Ａ規格準拠のコネクタは、コネクタ形状が電圧毎に規定されているので、装置本体とＡＣアダプタとの組み合わせが、指定された正しい組み合わせでなくても、コネクタ形状が同一の形状になっていて、装置本体とＡＣアダプタとの物理的な接続が可能である。
【０００５】
このため、装置本体とＡＣアダプタとの物理的な接続ができたとしても、装置本体とＡＣアダプタとが正しい組み合わせでない場合には、装置が正常に動作しない。さらには、ユーザが正しい組み合わせでないことに気付かない場合には、正しくない組み合わせのまま継続して使用されることになり、ＡＣアダプタの発熱、発煙、発火などの重大な事故が発生する可能性がある。したがって、装置本体にＡＣアダプタを接続した際に、ＡＣアダプタの装置本体に対する適合性を確認する技術が検討されている。
【０００６】
ＡＣアダプタの装置本体に対する適合性を確認するための現状の技術としては、例えば、特許文献１の特開２００６−３３８１７４号公報「情報処理装置およびその起動制御方法と電源制御方法」にて開示された技術がある。本特許文献１の技術は、装置本体の電源を入れた時に、装置本体側に備えた特性検出回路により、ＡＣアダプタの特性を読み取って、ＡＣアダプタの接続状態をチェックすることにより、該ＡＣアダプタの適合性を確認しようとするものである。しかし、該特性検出回路が如何なる特性に基づいて適合性をチェックするのかという点に関しては、具体的な記載がないため実現性に乏しいと言わざるを得ない。
【先行技術文献】
【特許文献】
【０００７】
【特許文献１】特開２００６−３３８１７４号公報
【発明の概要】
【発明が解決しようとする課題】
【０００８】
前述したように、前記特許文献１等の本発明に関連する現状の技術においては、装置本体に接続されたＡＣアダプタの適合性を確実にチェックする具体的な技術が実現していない状況にあり、装置本体が正常に動作しない事態や、さらには、発熱、発煙、発火などの異常事象が発生する等の重大な事態を引き起こす可能性がある。
【０００９】
（本発明の目的）
本発明は、かかる事情に鑑みてなされたものであり、ＡＣアダプタの装置本体に対する適合性を確実にチェックすることができ、ＡＣアダプタの使用可否を判定することを可能にするＡＣアダプタ使用可否判定回路、ＡＣアダプタ使用可否判定器およびＡＣアダプタ使用可否判定方法を提供することを、その目的としている。
【課題を解決するための手段】
【００１０】
前述の課題を解決するため、本発明によるＡＣアダプタ使用可否判定回路、ＡＣアダプタ使用可否判定器およびＡＣアダプタ使用可否判定方法は、主に、次のような特徴的な構成を採用している。
【００１１】
（１）本発明によるＡＣアダプタ使用可否判定回路は、
装置本体に対する電源供給用のＡＣアダプタを該装置本体に接続しようとする際に、該ＡＣアダプタの電源出力端子と前記装置本体の電源入力端子との間に接続されて、該ＡＣアダプタの使用可否を判定するＡＣアダプタ使用可否判定回路であって、
前記装置本体へ供給されるべき定格電圧が印加されたとき、前記装置本体の定格電力と同じ電力を消費する擬似負荷部
を備え、かつ、
前記擬似負荷部に前記ＡＣアダプタによって印加される電圧値を測定して、あらかじめ保持している電圧判定値の範囲内にあるか否かの判定結果を出力する電圧測定手段と、
前記擬似負荷部に前記ＡＣアダプタから流れる電流値を測定して、あらかじめ保持している電流判定値の範囲内にあるか否かの判定結果を出力する電流測定手段と、
前記ＡＣアダプタとの間の接続の開閉を行う第１切替手段と、
前記ＡＣアダプタの電源出力端子を、前記擬似負荷部と前記装置本体の電源入力端子とのいずれかに切り替えて接続する第２切替手段と、
前記電圧測定手段と前記電流測定手段との判定結果に基づいて、前記ＡＣアダプタの使用の可否を判定し、前記第１切替手段および前記第２切替手段を制御する判定手段と
を有することを特徴とする。
【００１２】
（２）本発明によるＡＣアダプタ使用可否判定器は、
装置本体に対する電源供給用のＡＣアダプタを該装置本体に接続しようとする際に、該ＡＣアダプタの電源出力端子と前記装置本体の電源入力端子との間に接続されて、該ＡＣアダプタの使用可否を判定するＡＣアダプタ使用可否判定器であって、
前記装置本体へ供給されるべき定格電圧が印加されたとき、前記装置本体の定格電力と同じ電力を消費する擬似負荷部
を備え、かつ、
前記擬似負荷部に前記ＡＣアダプタによって印加される電圧値を測定して、あらかじめ保持している電圧判定値の範囲内にあるか否かの判定結果を出力する電圧測定手段と、
前記擬似負荷部に前記ＡＣアダプタから流れる電流値を測定して、あらかじめ保持している電流判定値の範囲内にあるか否かの判定結果を出力する電流測定手段と、
前記ＡＣアダプタとの間の接続の開閉を行う第１切替手段と、
前記ＡＣアダプタの電源出力端子を、前記擬似負荷部と前記装置本体の電源入力端子とのいずれかに切り替えて接続する第２切替手段と、
前記電圧測定手段と前記電流測定手段との判定結果に基づいて、前記ＡＣアダプタの使用の可否を判定し、前記第１切替手段および前記第２切替手段を制御する判定手段と、
前記擬似負荷部の消費電力値を外部から変更することが可能な変更手段と、
前記判定手段による前記ＡＣアダプタの使用の可否の判定結果を表示する表示手段と
を有することを特徴とする。
【００１３】
（３）本発明によるＡＣアダプタ使用可否判定方法は、
装置本体に対する電源供給用のＡＣアダプタを該装置本体に接続しようとする際に、該ＡＣアダプタの使用可否を判定するＡＣアダプタ使用可否判定方法であって、
前記装置本体へ供給されるべき定格電圧が印加されたとき、前記装置本体の定格電力と同じ電力を消費する擬似負荷部
を有し、かつ、
前記擬似負荷部に前記ＡＣアダプタによって印加される電圧値を測定して、あらかじめ保持している電圧判定値の範囲内にあるか否かの判定結果を出力する電圧測定ステップと、
前記擬似負荷部に前記ＡＣアダプタから流れる電流値を測定して、あらかじめ保持している電流判定値の範囲内にあるか否かの判定結果を出力する電流測定ステップと、
前記ＡＣアダプタとの間の接続の開閉を行う第１切替ステップと、
前記ＡＣアダプタの電源出力端子を、前記擬似負荷部と前記装置本体の電源入力端子とのいずれかに切り替えて接続する第２切替ステップと、
前記電圧測定ステップと前記電流測定ステップとの判定結果に基づいて、前記ＡＣアダプタの使用の可否を判定し、前記第１切替ステップおよび前記第２切替ステップの動作を制御する判定ステップと
を有することを特徴とする。
【発明の効果】
【００１４】
本発明のＡＣアダプタ使用可否判定回路、ＡＣアダプタ使用可否判定器およびＡＣアダプタ使用可否判定方法によれば、以下のような効果を奏することができる。
【００１５】
すなわち、本発明においては、装置本体に対するＡＣアダプタの接続時に、ＡＣアダプタの電源出力が、装置本体の駆動に適している出力電圧・出力電流であるか否かを判定することにより、装置本体の不安定動作、および、ＡＣアダプタの発熱、発煙、発火などの異常事象を確実に防止することができる。
【図面の簡単な説明】
【００１６】
【図１】本発明に係るＡＣアダプタ使用可否判定回路の内部構成の一例を示すブロック構成図である。
【図２】図１に示したＡＣアダプタ使用可否判定回路を組み込んだ第１の装置の第１装置本体回路部に対して第１ＡＣアダプタを接続しようとしている状態を示す模式図である。
【図３】図１に示したＡＣアダプタ使用可否判定回路を組み込んだ第１の装置の第１装置本体回路部に対して第２ＡＣアダプタを接続しようとしている状態を示す模式図である。
【図４】図１に示したＡＣアダプタ使用可否判定回路を組み込んだ第１の装置の第１装置本体回路部に対して第３ＡＣアダプタを接続しようとしている状態を示す模式図である。
【図５】本発明の他の実施形態におけるＡＣアダプタ使用可否判定回路を介して第２の装置に対して第３ＡＣアダプタを接続しようとしている状態を示す模式図である。
【図６】図５に示したＡＣアダプタ使用可否判定器における電圧電流測定部の内部構成の一例を示すブロック図である。
【発明を実施するための形態】
【００１７】
以下、本発明によるＡＣアダプタ使用可否判定回路、ＡＣアダプタ使用可否判定器およびＡＣアダプタ使用可否判定方法の好適な実施形態について添付図を参照して説明する。なお、以下の各図面に付した図面参照符号は、理解を助けるための一例として各要素に便宜上付記したものであり、本発明を図示の態様に限定することを意図するものではないことも言うまでもない。
【００１８】
（本発明の特徴）
本発明の実施形態の説明に先立って、本発明の特徴についてその概要をまず説明する。本発明は、擬似負荷部と、該擬似負荷部に印加される電圧を測定する電圧測定手段と、該擬似負荷部に流れる電流を測定する電流測定手段と、測定した電圧および電流の測定結果に基づいてＡＣアダプタの使用可否を判定する判定手段と、該判定手段の判定結果により、ＡＣアダプタ電源出力接続先を、装置本体側、または、未接続、のいずれかに切り替える接続切り替え手段と、を少なくとも備えていることを主要な特徴としている。而して、ＡＣアダプタ接続時に、ＡＣアダプタ電源出力が、装置本体の駆動に適している出力電圧・出力電流であるか否かを判定することにより、装置本体の不安定動作を防止し、ＡＣアダプタの発熱、発煙、発火などの異常事象を確実に防止することができる。
【００１９】
［本発明の実施形態の構成例］
次に、本発明の実施形態の構成例について、図１を参照して説明する。図１は、本発明に係るＡＣアダプタ使用可否判定回路の内部構成の一例を示すブロック構成図である。図１に示すように、本実施形態におけるＡＣアダプタ使用可否判定回路１００は、第１切替部１１、第２切替部１２、電圧電流測定部１３、判定部１４を少なくとも備え、電圧電流測定部１３内には、電圧測定部１、電流測定部２、擬似負荷部３を少なくとも備えて構成されている。
【００２０】
ＡＣアダプタ使用可否判定回路１００は、通信装置や家庭電器等の装置内に配備されており、第１切替部１１の外部端子側には、ＡＣアダプタの電源出力端子を接続し、また、第２切替部１２の外部端子側には、装置本体内の電源供給端子を接続するように構成している。第１切替部１１は、開閉スイッチであり、外部端子側に接続したＡＣアダプタの電源出力端子を、第２切替部１２に接続するか、あるいは、切断して開放状態にするかを切り替える。第２切替部１２は、第１切替部１１と接続されていて、第１切替部１１の出力側端子の接続先を切り替える切替スイッチであり、装置本体内の電源供給端子が接続される外部側端子に接続するか、あるいは、ＡＣアダプタ使用可否判定回路１００内の電圧電流測定部１３に接続するための内部側端子に接続するかを切り替える。
【００２１】
電圧電流測定部１３内の擬似負荷部３は、使用予定の本来のＡＣアダプタの定格出力電圧の印加時において該ＡＣアダプタの定格出力電力を想定した基準電力を消費する負荷であり、ＡＣアダプタの電源出力端子を、第１切替部１１、第２切替部１２を介して電圧電流測定部１３に接続した時に、あらかじめ設定された前記基準電力を消費する。
【００２２】
電圧電流測定部１３内の電圧測定部１は、使用予定の本来のＡＣアダプタの定格出力電圧値を想定した電圧判定値をあらかじめ保持しており、ＡＣアダプタの電源出力端子を、第１切替部１１、第２切替部１２を介して電圧電流測定部１３に接続した時に、電圧電流測定部１３内の擬似負荷部３に印加される電圧を測定して、あらかじめ設定された電圧範囲内か否か、すなわち、あらかじめ保持している前記電圧判定値の範囲内か否かの判定結果を出力する。また、電圧電流測定部１３内の電流測定部２は、使用予定の本来のＡＣアダプタの定格出力電流値を想定した電流判定値をあらかじめ保持しており、ＡＣアダプタの電源出力端子を、第１切替部１１、第２切替部１２を介して電圧電流測定部１３に接続した時に、電圧電流測定部１３内の擬似負荷部３に流れる電流を測定して、あらかじめ設定された電流範囲内か否か、すなわち、あらかじめ保持している前記電流判定値の範囲内か否かの判定結果を出力する。
【００２３】
判定部１４は、電圧電流測定部１３内の電圧測定部１と電流測定部２とにおける判定結果に基づいて、第１切替部１１の外部端子側に接続されているＡＣアダプタの使用可否を判定して、判定結果に基づいて、第１切替部１１の開閉状態を設定し、第２切替部１２の接続先を切り替える制御を行う。
【００２４】
すなわち、判定部１４は、電圧測定部１と電流測定部２とにおけるそれぞれの判定結果が、いずれも、あらかじめ設定された電圧範囲（すなわち電圧判定値）とあらかじめ設定された電流範囲（すなわち電流判定値）の範囲内であった場合には、第１切替部１１と第２切替部１２とを制御して、ＡＣアダプタの電源出力端子の接続先を装置本体内の電源供給端子に接続する状態に切り替える。
【００２５】
また、判定部１４は、電圧測定部１または電流測定部２におけるそれぞれの判定結果の少なくともいずれか一方が、あらかじめ設定された電圧範囲（すなわち電圧判定値）またはあらかじめ設定された電流範囲（すなわち電流判定値）の範囲外であった場合には、第１切替部１１を制御し、ＡＣアダプタの電源出力端子との接続を切断するか、あるいは、第１切替部１１と第２切替部１２とを制御して、ＡＣアダプタの電源出力端子の接続先を、ＡＣアダプタ使用可否判定回路１００内の電圧電流測定部１３に接続した状態を維持する。
【００２６】
なお、判定部１４は、ＡＣアダプタが接続された際に、第１切替部１１、第２切替部１２を初期状態にリセットして、第１切替部１１を閉じた状態に設定し、また、第２切替部１２にＡＣアダプタ使用可否判定回路１００内の電圧電流測定部１３に接続した状態に設定する制御を行っている。
【００２７】
以上のような構成を備えることにより、図１に示したＡＣアダプタ使用可否判定回路１００は、装置本体へのＡＣアダプタの接続時に、ＡＣアダプタの出力能力を判定し、その判定結果に基づいて、ＡＣアダプタを装置本体側へ接続して、装置本体内に電力を供給する状態に移行するか、あるいは、ＡＣアダプタとの接続を切断するか、もしくは、ＡＣアダプタをＡＣアダプタ使用可否判定回路１００内の電圧電流測定部１３に接続した状態を維持するか、のいずれかの状態に設定することができる。而して、装置が正常に動作しない場合や、もしくは、ＡＣアダプタの発熱、発煙、発火などの異常事象が発生する場合、等を未然に防止することが可能になる。
【００２８】
すなわち、装置本体へ接続するために、ＡＣアダプタの電源出力端子を擬似負荷部３に接続した際のＡＣアダプタの電源出力値が、当該装置本体用として使用を予定していた本来のＡＣアダプタの定格出力電圧の範囲内で、且つ、定格出力電流の範囲内であった場合には、ＡＣアダプタの電源出力端子を装置本体内の電源供給端子側へ接続し、当該装置本体の正常動作が可能な電源供給がなされる。これに対して、ＡＣアダプタ電源出力値が、使用を予定していた本来のＡＣアダプタの定格出力電圧、定格出力電流の少なくともいずれか一方の範囲外であった場合には、ＡＣアダプタの電源出力端子との接続を切断するか、もしくは、ＡＣアダプタの電源出力端子を電圧電流測定部１３に接続した状態を維持して、電圧、電流の測定動作をそのまま継続する状態に設定して、ＡＣアダプタ使用可否判定回路１００内の装置本体の異常動作やＡＣアダプタの発熱、発煙、発火などの異常事象等の発生を防ぐことができる。
【００２９】
［本発明の実施形態の動作の説明］
次に、図１に示したＡＣアダプタ使用可否判定回路１００の動作について、図２〜図４を参照して詳細に説明する。
【００３０】
図２は、図１に示したＡＣアダプタ使用可否判定回路１００を組み込んだ第１の装置２０１の第１装置本体回路部２１に対して第１ＡＣアダプタ３１を接続しようとしている状態を示す模式図である。
【００３１】
図２において、第１の装置２０１（例えば通信装置）の第１装置本体回路部２１の定格値（すなわち使用予定の本来のＡＣアダプタから入力されるべき定格値）、および、接続しようとしている第１ＡＣアダプタ３１の定格値は、次の通りであるものと仮定する。
（１）第１装置本体回路部２１の定格値
（ａ）定格入力電圧値  ：  １２Ｖ±５％
（ｂ）定格入力電流値  ：  ０．７Ａ
（ｃ）定格消費電力    ：  ８．４Ｗ
（２）第１ＡＣアダプタ３１の定格値
（ａ）定格出力電圧値  ：  １２Ｖ±５％
（ｂ）定格出力電流値  ：  ０．７Ａ
（ｃ）定格出力電力    ：  ８．４Ｗ
【００３２】
なお、ＡＣアダプタ使用可否判定回路１００の第１切替部１１、第２切替部１２、判定部１４において消費される合計の電力は、第１装置本体回路部２１に使用予定の本来のＡＣアダプタの定格出力電力と比較して、非常に軽微な値であり、無視することができるものとする。
【００３３】
また、図３は、図１に示したＡＣアダプタ使用可否判定回路１００を組み込んだ第１の装置２０１の第１装置本体回路部２１に対して第２ＡＣアダプタ３２を接続しようとしている状態を示す模式図である。つまり、図３は、図２と同じ第１の装置２０１の第１装置本体回路部２１に対して、図２の場合の第１ＡＣアダプタ３１とは異なる第２ＡＣアダプタ３２を接続しようとしている場合を示している。
【００３４】
図３において、第１の装置２０１（例えば通信装置）の第１装置本体回路部２１の定格値（すなわち使用予定の本来のＡＣアダプタから入力されるべき定格値）、および、接続しようとしている第２ＡＣアダプタ３２の定格値は、次の通りであるものと仮定する。
（１）第１装置本体回路部２１の定格値
（ａ）定格入力電圧値  ：  １２Ｖ±５％
（ｂ）定格入力電流値  ：  ０．７Ａ
（ｃ）定格消費電力    ：  ８．４Ｗ
（２）第２ＡＣアダプタ３２の定格値
（ａ）定格出力電圧値  ：  １２Ｖ±５％
（ｂ）定格出力電流値  ：  ２．０Ａ
（ｃ）定格出力電力    ：  ２４Ｗ
【００３５】
なお、ＡＣアダプタ使用可否判定回路１００の第１切替部１１、第２切替部１２、判定部１４において消費される合計の電力は、前述のように、第１装置本体回路部２１に使用予定の本来のＡＣアダプタの定格出力電力と比較して、非常に軽微な値であり、無視することができるものとする。
【００３６】
また、図４は、図１に示したＡＣアダプタ使用可否判定回路１００を組み込んだ第１の装置２０１の第１装置本体回路部２１に対して第３ＡＣアダプタ３３を接続しようとしている状態を示す模式図である。つまり、図４は、図２と同じ第１の装置２０１の第１装置本体回路部２１に対して、図２の場合の第１ＡＣアダプタ３１とは異なる第３ＡＣアダプタ３３を接続しようとしている場合を示している。
【００３７】
図４において、第１の装置２０１（例えば通信装置）の第１装置本体回路部２１の定格値（すなわち使用予定の本来のＡＣアダプタから入力されるべき定格値）、および、接続しようとしている第３ＡＣアダプタ３３の定格値は、次の通りであるものと仮定する。
（１）第１装置本体回路部２１の定格値
（ａ）定格入力電圧値  ：  １２Ｖ±５％
（ｂ）定格入力電流値  ：  ０．７Ａ
（ｃ）定格消費電力    ：  ８．４Ｗ
（２）第３ＡＣアダプタ３３の定格値
（ａ）定格出力電圧値  ：  １２Ｖ±５％
（ｂ）定格出力電流値  ：  ０．２Ａ
（ｃ）定格出力電力    ：  ２．４Ｗ
【００３８】
なお、ＡＣアダプタ使用可否判定回路１００の第１切替部１１、第２切替部１２、判定部１４において消費される合計の電力は、前述のように、第１装置本体回路部２１に使用予定の本来のＡＣアダプタの定格出力電力と比較して、非常に軽微な値であり、無視することができるものとする。
【００３９】
次に、図２に示した模式図の動作について説明する。図２においては、前述したように、ＡＣアダプタ使用可否判定回路１００に接続された第１アダプタ３１の定格出力電圧は１２Ｖ±５％、定格出力電流は０．７Ａ、定格出力電力が８．４Ｗである。また、第１装置本体回路部２１が使用予定の本来のＡＣアダプタの定格出力電圧は１２Ｖ±５％、定格出力電流は０．７Ａ、定格出力電力は８．４Ｗである。
【００４０】
したがって、第１装置本体回路部２１が使用予定の本来のＡＣアダプタの定格値に基づいて、ＡＣアダプタ使用可否判定回路１００の電圧電流測定部１３の電圧測定部１は、あらかじめ保持している電圧判定値を１２Ｖ±５％とし、電流測定部２は、あらかじめ保持している電流判定値を０．７Ａ±５％としている。また、擬似負荷部３は、１２Ｖにて８．４Ｗを消費する容量とする。
【００４１】
ここで、第１ＡＣアダプタ３１を接続しようとする際、ＡＣアダプタ使用可否判定回路１００の判定部１４は、第１切替部１１および第２切替部１２を制御し、第１ＡＣアダプタ３１の電源出力端子を、ＡＣアダプタ使用可否判定回路１００の電圧電流測定部１３に接続する。この時、擬似負荷部３は、前述したように、１２Ｖにて８．４Ｗを消費するように動作する。電流測定部２は、擬似負荷部３に流れる電流を測定する。電流測定部２の前記電流判定値は、第１ＡＣアダプタ３１の定格出力電流値と同じ値であるので、電流測定部２の判定結果の出力はあらかじめ設定された電流範囲内となる。また、電圧測定部１は、擬似負荷部３に加わっている電圧を測定する。電圧測定部１の前記電圧判定値は、第１ＡＣアダプタ３１の定格出力電圧値と同じ値であるので、電圧測定部１の判定結果の出力はあらかじめ設定された電圧範囲内となる。
【００４２】
したがって、判定部１４は、電流測定部２および電圧測定部１の判定結果が、いずれも、あらかじめ設定された範囲内であったので、第２切替部１２を制御して、第１ＡＣアダプタ３１の電源出力端子の接続先を第１装置本体回路部２１側に切り替える。
【００４３】
以上に説明したように、第１ＡＣアダプタ３１の電源出力端子が擬似負荷部３に接続された際の第１ＡＣアダプタ３１の出力電圧が電圧判定値の１２Ｖ±５％、出力電流が電流判定値の０．７Ａ±５％の範囲内にあるので、ＡＣアダプタ使用可否判定回路１００に接続された第１ＡＣアダプタ３１は、第１装置本体回路部２１に予定された電源供給能力があるものと判定部１４は判定し、第１ＡＣアダプタ３１の電源出力端子を第１装置本体回路部２１側へ接続し、第１装置本体回路部２１側へ正常動作が可能な電源供給がなされる状態に移行する。
【００４４】
次に、図３に示した模式図の動作について説明する。図３においては、前述したように、ＡＣアダプタ使用可否判定回路１００に接続された第２アダプタ３２の定格出力電圧は１２Ｖ±５％、定格出力電流は２．０Ａ、定格出力電力が２４Ｗである。また、第１装置本体回路部２１が使用予定の本来のＡＣアダプタの定格出力電圧は１２Ｖ±５％、定格出力電流は０．７Ａ、定格出力電力は８．４Ｗである。
【００４５】
したがって、図２の場合と同様、第１装置本体回路部２１が使用予定の本来のＡＣアダプタの定格値に基づいて、ＡＣアダプタ使用可否判定回路１００の電圧電流測定部１３の電圧測定部１は、あらかじめ保持している電圧判定値を１２Ｖ±５％とし、電流測定部２は、あらかじめ保持している電流判定値を０．７Ａ±５％としている。また、擬似負荷部３は、１２Ｖにて８．４Ｗを消費する容量とする。
【００４６】
ここで、第２ＡＣアダプタ３２を接続しようとする際、ＡＣアダプタ使用可否判定回路１００の判定部１４は、第１切替部１１および第２切替部１２を制御し、第２ＡＣアダプタ３２の電源出力端子を、ＡＣアダプタ使用可否判定回路１００の電圧電流測定部１３に接続する。この時、擬似負荷部３は、前述したように、１２Ｖにて８．４Ｗを消費するように動作する。電流測定部２は、擬似負荷部３に流れる電流を測定する。電流測定部２の前記電流判定値は、第２ＡＣアダプタ３２の定格出力電流値よりも少ない値であるので、電流測定部２の判定結果の出力はあらかじめ設定された電流範囲内となる。また、電圧測定部１は、擬似負荷部３に加わっている電圧を測定する。電圧測定部１の前記電圧判定値は、第２ＡＣアダプタ３２の定格出力電圧値と同じ値であるので、電圧測定部１の判定結果の出力はあらかじめ設定された電圧範囲内となる。
【００４７】
したがって、判定部１４は、電流測定部２および電圧測定部１の判定結果が、いずれも、あらかじめ設定された範囲内であったので、第２切替部１２を制御して、第２ＡＣアダプタ３２の電源出力端子の接続先を第１装置本体回路部２１側に切り替える。
【００４８】
以上に説明したように、第２ＡＣアダプタ３２の電源出力端子が擬似負荷部３に接続された際の第２ＡＣアダプタ３２の出力電圧が電圧判定値の１２Ｖ±５％、出力電流が電流判定値の０．７Ａ±５％の範囲内にあるので、ＡＣアダプタ使用可否判定回路１００に接続された第２ＡＣアダプタ３２は、第１装置本体回路部２１に予定された電源供給能力があるものと判定部１４は判定し、第２ＡＣアダプタ３２の電源出力端子を第１装置本体回路部２１側へ接続し、第１装置本体回路部２１側へ正常動作が可能な電源供給がなされる状態に移行する。
【００４９】
なお、図３の模式図においては、第１装置本体回路部２１との組み合わせとして本来想定されているＡＣアダプタとは異なる場合を示している。しかし、第２アダプタ３２の電圧出力の値は、第１装置本体回路部２１側の定格入力電圧と合致し、且つ、第２アダプタ３２の電流供給能力の値も、第１装置本体回路部２１側が予定している本来のＡＣアダプタの定格出力電流を上回っているので、第２ＡＣアダプタ３２からの電源供給によって、第１装置本体回路部２１は正常に動作し、且つ、第２ＡＣアダプタ３２の電源出力電流値が、定格出力電流以内の値になるので、発熱、発煙、発火などの異常事象も発生しない。すなわち、第２アダプタ３２を第１装置本体回路部２１に接続しようとした場合、電圧測定部１は、擬似負荷部３に印加された電圧値の測定結果が、前記電圧判定値と同じ値であった場合に、前記電流判定値の範囲内であるとの判定結果を出力し、一方、電流測定部２は、擬似負荷部３に流れた電流値の測定結果が、前記電流判定値以上であった場合には、前記電流判定値の範囲内であるとの判定結果を出力するので、判定部１４は、第２ＡＣアダプタ３２の使用は可能であると判定することになる。
【００５０】
次に、図４に示した模式図の動作について説明する。図４においては、前述したように、ＡＣアダプタ使用可否判定回路１００に接続された第３アダプタ３３の定格出力電圧は１２Ｖ±５％、定格出力電流は０．２Ａ、定格出力電力が２．４Ｗである。また、第１装置本体回路部２１が使用予定の本来のＡＣアダプタの定格出力電圧は１２Ｖ±５％、定格出力電流は０．７Ａ、定格出力電力は８．４Ｗである。
【００５１】
したがって、図２の場合と同様、第１装置本体回路部２１が使用予定の本来のＡＣアダプタの定格値に基づいて、ＡＣアダプタ使用可否判定回路１００の電圧電流測定部１３の電圧測定部１は、あらかじめ保持している電圧判定値を１２Ｖ±５％とし、電流測定部２は、あらかじめ保持している電流判定値を０．７Ａ±５％としている。また、擬似負荷部３は、１２Ｖにて８．４Ｗを消費する容量とする。
【００５２】
ここで、第３ＡＣアダプタ３３を接続しようとする際、ＡＣアダプタ使用可否判定回路１００の判定部１４は、第１切替部１１および第２切替部１２を制御し、第３ＡＣアダプタ３３の電源出力端子を、ＡＣアダプタ使用可否判定回路１００の電圧電流測定部１３に接続する。この時、擬似負荷部３は、前述したように、１２Ｖにて８．４Ｗを消費するように動作する。電流測定部２は、擬似負荷部３に流れる電流を測定する。また、電圧測定部１は、擬似負荷部３に加わっている電圧を測定する。図４の場合、図２、図３の場合とは異なり、第３ＡＣアダプタ３３の定格出力電力が、擬似負荷部３に設定されている消費電力の要件を満たしていないので、擬似負荷部３に流れる電流値または印加される電圧値が、あらかじめ設定された電流判定値または電圧判定値の少なくともいずれか一方の判定値の範囲外になってしまう。
【００５３】
したがって、判定部１４は、電流測定部２または電圧測定部１の判定結果の少なくともいずれか一方が、あらかじめ設定された範囲外になっているので、第１切替部１１を制御して、第１切替部１１を開放させ、第３ＡＣアダプタ３３の電源出力端子の接続を切断する。
【００５４】
以上に説明したように、第３ＡＣアダプタ３３の電源出力端子が擬似負荷部３に接続された際の第３ＡＣアダプタ３３の出力電圧、出力電流が、電圧判定値の１２Ｖ±５％、電流判定値の０．７Ａ±５％の少なくともいずれか一方を満たしていないので、ＡＣアダプタ使用可否判定回路１００に接続された第３ＡＣアダプタ３３は、第１装置本体回路部２１に予定された電源供給能力がないものと判定部１４は判定し、第３ＡＣアダプタ３３の電源出力端子の接続を切断する状態に移行する。
【００５５】
なお、図４の模式図においても、図３の場合と同様、第１装置本体回路部２１との組み合わせとして本来想定されているＡＣアダプタとは異なる場合を示している。ただし、図４の場合は、第３ＡＣアダプタ３３の電圧出力の値については、第１装置本体回路部２１側の定格入力電圧と合致しているものの、図３の場合とは異なり、第３アダプタ３３の電力供給能力の値は、第１装置本体回路部２１側が予定している本来のＡＣアダプタの定格出力電力を下回っている。したがって、第３ＡＣアダプタ３３からの電源供給によって、第１装置本体回路部２１は正常に動作することができない可能性が高い。
【００５６】
また、ＡＣアダプタ使用可否判定回路１００を使用しない状態にして、第３ＡＣアダプタ３３の電源出力端子を、直接、第１装置本体回路部２１に接続した場合、第１装置本体回路部２１は正常に動作することができない可能性が高く、且つ、第３ＡＣアダプタ３３の電源出力電流値が定格電流以上となって、第３ＡＣアダプタ３３が過負荷の状態を継続する結果として、第３ＡＣアダプタ３３が発熱、発煙、発火などの異常事象を発生させる可能性がある。しかし、本実施形態においては、図４に示したように、ＡＣアダプタ使用可否判定回路１００を使用することにより、第３ＡＣアダプタ３３の電源出力端子の接続を切断することができる。而して、ユーザがＡＣアダプタと装置本体との組み合わせを意識することなく第３ＡＣアダプタ３３を使用しようとしていたとしても、第３ＡＣアダプタ３３が過負荷な状態を継続することはなく、第３ＡＣアダプタ３３の発熱、発煙、発火などの異常事象の発生を防ぐことができる。
【００５７】
なお、第１切替部１１、第２切替部１２および判定部１４において消費される電力が、軽微ではなく、使用予定の本来のＡＣアダプタの定格出力電力と比較して、無視することができない場合には、擬似負荷部３において消費する電力の値を、第１切替部１１、第２切替部１２および判定部１４において消費される電力を減じた値に設定することにより、ＡＣアダプタ使用可否判定回路１００において正しい判定を行うことが可能である。
【００５８】
［本実施形態における効果の説明］
以上に詳細に説明したように、本実施形態のＡＣアダプタ使用可否判定回路１００においては、ＡＣアダプタの接続時に、対象の装置本体が使用予定の電力分を消費する擬似負荷部３を用いて、出力電圧値や出力電流値を測定した結果に基づいて、当該ＡＣアダプタの電源出力が、接続先の装置本体の駆動に適しているか否かを事前に確実に判定することができるので、装置の不安定動作を防ぐとともに、当該ＡＣアダプタの発熱、発煙、発火などの異常事象の発生を未然に防ぐことができる。
【００５９】
［本発明の他の実施形態］
次に、本発明の他の実施形態について説明する。前述した実施形態に係るＡＣアダプタ使用可否判定回路１００は、装置（例えば第１の装置２０１）内に内蔵する内蔵タイプの回路であったが、本発明は、かかる場合に限るものではない。例えば、ＡＣアダプタ使用可否判定回路１００を外付けタイプの機器として構成し、入出力端子に接続したケーブルを用いてＡＣアダプタと装置とを接続するようにしても良い。さらには、外付けタイプのＡＣアダプタ使用可否判定回路としては、ＡＣアダプタ使用可否判定回路１００に対してさらなる汎用性を付与して構成するようにし、単体の機器として、つまり、単独で販売対象となり得るアダプタ使用可否判定器として扱うことが可能な構成としても良い。本他の実施形態においては、単独の機器として扱うことも可能なアダプタ使用可否判定回路について、図５および図６を参照して説明する。
【００６０】
図５は、本発明の他の実施形態におけるＡＣアダプタ使用可否判定回路を介して第２の装置に対して第３ＡＣアダプタを接続しようとしている状態を示す模式図である。ここで、図５に示すＡＣアダプタ使用可否判定回路１０１は、図１に示したＡＣアダプタ使用可否判定回路１００に対してさらに表示部１５を追加した内部構成からなり、また、図１に示したＡＣアダプタ使用可否判定回路１００の電圧電流測定部１３の擬似負荷部３の代わりに、任意の消費電力を基準電力として外部から設定することが可能な構成からなる擬似負荷部３Ａを電圧電流測定部１３Ａ内に搭載している。つまり、ＡＣアダプタ使用可否判定回路１０１の電圧電流測定部１３Ａ内には、擬似負荷部３Ａの消費電力値を外部からユーザが変更することが可能な変更手段を備えている。
【００６１】
また、図５に示すＡＣアダプタ使用可否判定回路１０１は、図１に示したＡＣアダプタ使用可否判定回路１００とは異なり、第２の装置２０２内に内蔵するのではなく、第３アダプタ３３の電源出力端子との間および第２の装置２０２の電源入力端子との間のそれぞれをケーブルにより接続する外付けタイプの機器を構成している。すなわち、ＡＣアダプタ使用可否判定回路１０１は、“ＡＣアダプタ使用可否判定器”として単体で取り扱うことが可能な機器を構成している。
【００６２】
つまり、図５に示すＡＣアダプタ使用可否判定回路１０１は、多種類の装置に対して適用することを可能にするために、外付けタイプの機器として第２の装置２０２から切り離し、且つ、擬似負荷部３Ａにて消費する電力をユーザが任意に変更することを可能とし、且つ、表示部１５も備えて、より汎用的な機能を付与した構成からなっている。ここで、表示部１５は、少なくとも判定部１４によるＡＣアダプタの使用の可否の判定結果を表示してユーザに通知するための表示手段を提供している。而して、ＡＣアダプタ使用可否判定回路１０１は、単体で販売単位の機器として扱うことが可能な“ＡＣアダプタ使用可否判定器”を実現していると言うことができる。
【００６３】
図５において、第２の装置２０２（例えばＰＣ）の定格値（すなわち使用予定の本来のＡＣアダプタから入力されるべき定格値）、および、接続しようとしている第３ＡＣアダプタ３３の定格値は、次の通りであるものと仮定する。
（１）第２の装置２０２の定格値
（ａ）定格入力電圧値  ：  １２Ｖ±５％
（ｂ）定格入力電流値  ：  ２．０Ａ
（ｃ）定格消費電力    ：  ２４Ｗ
（２）第３ＡＣアダプタ３３の定格値
（ａ）定格出力電圧値  ：  １２Ｖ±５％
（ｂ）定格出力電流値  ：  ０．２Ａ
（ｃ）定格出力電力    ：  ２．４Ｗ
【００６４】
なお、ＡＣアダプタ使用可否判定回路１０１の第１切替部１１、第２切替部１２、判定部１４、表示部１５において消費される合計の電力は、使用予定の第３ＡＣアダプタ３３の定格出力電力と比較して、非常に軽微な値であり、無視することができるものとする。
【００６５】
また、図６は、図５に示したＡＣアダプタ使用可否判定回路１０１の電圧電流測定部１３Ａの内部構成の一例を示すブロック図であり、擬似負荷部３Ａにて消費する電力をユーザが変更することを可能にし、擬似負荷部３Ａに流れる電流を変更させることができる構成の一例を示している。図６に示すように、電圧電流測定部１３Ａは、電圧測定部１、電流測定部２および擬似負荷部３Ａを少なくとも備えて構成されており、擬似負荷部３Ａが、図１のＡＣアダプタ使用可否判定回路１００の擬似負荷部３とは異なり、外部から消費電力の変更を行うことが可能な構成になっている。なお、電圧測定部１、電流測定部２については、図１のＡＣアダプタ使用可否判定回路１００の場合と全く同一である。
【００６６】
図６に示す擬似負荷部３Ａは、消費電力の変更を２段階で行うことを可能にするために、スイッチ４と、第１固定抵抗器５、第２固定抵抗器６という２個の抵抗器と、によって構成する例を示している。しかし、本発明は、かかる場合に限るものではなく、消費電力の変更を２段階以上の複数段階で行うことを可能にしたい場合には、段階数に応じて、スイッチ、抵抗器の搭載個数を任意の個数に増加させて構成することも可能である。図６に示す擬似負荷部３Ａにおいては、第１固定抵抗器５、第２固定抵抗器６は、第２切替部１２側に接続する端子に対して並列接続され、第１固定抵抗器５の他方の端子には電流測定部２が接続される。また、第２固定抵抗器６の他方の端子には、外部からの操作が可能なスイッチ４が接続される。なお、本他の実施形態においては、第１固定抵抗器５、第２固定抵抗器６それぞれの抵抗値は同一であるものと仮定する。
【００６７】
擬似負荷部３Ａの２段階に変更可能な消費電力に関しては、例えば、スイッチ４がオフの場合は、擬似負荷部３Ａにおける消費電力は、印加電圧が１２Ｖにおいて１２Ｗであり、また、擬似負荷部３Ａに流れる総電流値は１Ａ、電流測定部２にて測定される電流値も１Ａである。一方、スイッチ４がオンの場合は、擬似負荷部３Ａにおける消費電力は、印加電圧が１２Ｖにおいて２４Ｗであり、また、擬似負荷部３Ａに流れる総電流値は２Ａ、電流測定部２にて測定される電流値は１Ａである。
【００６８】
なお、図５に示すように、ＡＣアダプタ使用可否判定回路１０１を第２の装置２０２に接続する場合は、擬似負荷部３Ａを、第２の装置２０２が使用予定の本来のＡＣアダプタの定格出力電圧の印加時において該ＡＣアダプタの定格出力電力を想定した基準電力を消費する負荷として動作させることが必要である。したがって、第２の装置２０２において使用予定の本来のＡＣアダプタの定格出力電力は、前述のように、２４Ｗであるので、外部からユーザがスイッチ４をオンに設定することによって、図５に示すＡＣアダプタ使用可否判定回路１０１は、接続しようとする第３ＡＣアダプタの使用可否に関して正しい判定を行うことが可能になる。
【００６９】
そして、第２の装置２０２が使用予定の本来のＡＣアダプタの定格値に基づいて、ＡＣアダプタ使用可否判定回路１０１の電圧電流測定部１３Ａの電圧測定部１は、あらかじめ保持している電圧判定値を１２Ｖ±５％とする。一方、電流測定部２については、第２の装置２０２が使用予定の本来のＡＣアダプタの定格値とは異なり、あらかじめ保持している電流判定値を１．０Ａ±５％とする。その理由は、図６に示すように、電流測定部２は、擬似負荷部３Ａの第１固定抵抗器５に流れる電流を測定するように接続されているので、印加電圧が１２Ｖの場合は、擬似負荷部３Ａに流れる総電流（この該総電流の電流値は２Ａ）の１／２になるからである。
【００７０】
ここで、第３ＡＣアダプタ３３を接続しようとする際、ＡＣアダプタ使用可否判定回路１０１の判定部１４は、第１切替部１１および第２切替部１２を制御し、第１ＡＣアダプタ３１の電源出力端子を、ＡＣアダプタ使用可否判定回路１０１の電圧電流測定部１３Ａに接続する。この時、擬似負荷部３Ａは、前述したように、１２Ｖにて２４Ｗを消費するように動作する。電流測定部２は、擬似負荷部３Ａに流れる電流を測定する。また、電圧測定部１は、擬似負荷部３Ａに印加されている電圧を測定する。第３ＡＣアダプタ３３の定格出力電力は２．４Ｗであり、図４の場合と同様、擬似負荷部３Ａに設定されている消費電力の要件を満たしていないので、擬似負荷部３Ａに流れる電流値または印加される電圧値が、あらかじめ設定された電流判定値または電圧判定値の少なくともいずれか一方の判定値よりも低い値になり、電流判定値または電圧判定値の少なくともいずれか一方の範囲外になってしまう。
【００７１】
したがって、判定部１４は、電流測定部２または電圧測定部１の判定結果の少なくともいずれか一方が、あらかじめ設定された範囲外になっているので、第１切替部１１を制御して、第１切替部１１を開放させ、第３ＡＣアダプタ３３の電源出力端子の接続を切断する。さらに、判定部１４は、表示部１５を制御し、かくのごとき判定部１４における処理内容をユーザが理解することができるような表示を行う。例えば、表示部１５としてＬＥＤ（Light  Emitting  Diode）を用いた場合、判定部１４の判定結果があらかじめ設定された判定値の範囲内の場合には、緑色ＬＥＤを点灯させ、一方、判定部１４の判定結果があらかじめ設定された判定値の範囲外の場合には、赤色ＬＥＤを点灯させるようにしても良い。
【００７２】
以上に説明したように、第２の装置２０２において使用予定の本来のＡＣアダプタの定格出力電力が２４Ｗの場合においては、ユーザが、外部から、擬似負荷部３Ａのスイッチ４をオンとすることによって、ＡＣアダプタ使用可否判定回路１０１は、接続しようとする第３ＡＣアダプタ３３の使用可否に関して正しい判定を行うことが可能である。かくのごきスイッチ４のオン状態において、本他の実施形態においては、電圧測定部１、電流測定部２は、第３ＡＣアダプタ３３の電源出力端子が擬似負荷部３Ａに接続された際の第３ＡＣアダプタ３３の出力電圧、出力電流が、電圧判定値の１２Ｖ±５％、電流判定値の１．０Ａ±５％のいずれか一方もしくは双方を満たしていないとの判定結果を出力する。したがって、判定部１４において、ＡＣアダプタ使用可否判定回路１０１に接続された第３ＡＣアダプタ３３は、第２の装置２０２に予定された電源供給能力がないものと判定し、第３ＡＣアダプタ３３の電源出力端子の接続状態を切断する。その結果、前述した実施形態における図４の場合と同様の効果が得られる。
【００７３】
また、第２の装置２０２とは別の装置に第３ＡＣアダプタ３３を使用しようとする場合であって、該別の装置において使用予定の本来のＡＣアダプタの定格出力電圧が１２Ｖ±５％、定格出力電流が１．０Ａ、定格出力電力が１２Ｗであった場合には、ユーザは、外部から、擬似負荷部３Ａのスイッチ４をオフとすることによって、ＡＣアダプタ使用可否判定回路１０１は、接続しようとする第３ＡＣアダプタ３３の使用可否に関して正しい判定を行うことが可能であり、前述した実施形態の場合と同様の効果が得られる。
【００７４】
なお、第１切替部１１、第２切替部１２、判定部１４および表示部１５において消費される電力が、軽微ではなく、使用予定の本来のＡＣアダプタの定格出力電力と比較して、無視することができない場合には、擬似負荷部３Ａにおいて消費する電力の値を、第１切替部１１、第２切替部１２、判定部１４および表示部１５において消費される電力を減じた値に設定することにより、ＡＣアダプタ使用可否判定回路１０１において正しい判定を行うことが可能である。
【００７５】
以上の本他の実施形態におけるＡＣアダプタ使用可否判定回路１０１においては、電圧電流測定部１３Ａの擬似負荷部３Ａにおいて消費する電力値として２種類の選択が可能な例を示しており、１つのＡＣアダプタ使用可否判定回路１０１にて、２種類の定格電力の装置に対して使用することが可能である場合を示している。しかし、前述したように、電圧電流測定部１３Ａの擬似負荷部３Ａにおいて消費する消費電力値の選択可能な種類数を増やすことによって、１つのＡＣアダプタ使用可否判定回路を用いて、前記消費電力値の選択可能な種類数と同じ種類数の装置に対して使用することが可能であることは言うまでもない。
【００７６】
また、本他の実施形態におけるＡＣアダプタ使用可否判定回路１０１においては、ＡＣアダプタ使用可否判定器として単独の機器として扱うことも可能な外付けタイプのＡＣアダプタ使用可否判定回路１０１について説明したが、場合によっては、ＡＣアダプタを使用する装置内に設置する内蔵タイプとして用いるようにすることも、当然可能である。
【００７７】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００７８】
１      電圧測定部
２      電流測定部
３      擬似負荷部
３Ａ    擬似負荷部
４      スイッチ
５      第１固定抵抗器
６      第２固定抵抗器
１１    第１切替部
１２    第２切替部
１３    電圧電流測定部
１３Ａ  電圧電流測定部
１４    判定部
１５    表示部
２１    第１装置本体回路部
３１    第１ＡＣアダプタ
３２    第２ＡＣアダプタ
３３    第３ＡＣアダプタ
１００  ＡＣアダプタ使用可否判定回路
１０１  ＡＣアダプタ使用可否判定回路
２０１  第１の装置
２０２  第２の装置
【図１】
2018142069.tif 000003
【図２】
2018142069.tif 000004
【図３】
2018142069.tif 000005
【図４】
2018142069.tif 000006
【図５】
2018142069.tif 000007
【図６】
2018142069.tif 000008